(57)【要約】【課題】外部からの浸水や湿気の侵入を防止する構造であって、構造が簡易で組立が容易な簡易建物を提供すること。【解決手段】パッキンを有する嵌合凸部を形成した柱と嵌合凹部を形成した壁パネルを嵌合して壁を形成することにより、目地の防水と壁パネルの接続を同時におこなう。また梁と桁で立設した周壁の上端を固定すると共にその梁と桁にパッキンを設けることにより屋根パネル周囲からの浸水を防止する。また引戸にパッキンを取付け、閉止完了状態において前記パッキンが開口部の周囲に密着して引戸周囲からの浸水を防止する。また床枠と根太でパッキンを介して床パネルを支持し床下からの湿気の侵入を防止する。【選択図】図１
2005200941.tif 000002
【特許請求の範囲】
【請求項１】
前後左右に配置した床枠上に柱と壁パネルを交互に配置して周壁を形成し、その周壁上端に梁と桁を配置し、その梁と桁の上に屋根パネルを配置し、周壁の前面開口部に引戸を配置した簡易建物において、
隅柱は上下にわたる嵌合凸部を直角２方向に形成し、
中間柱は、上下にわたる嵌合凸部を反対２方向に形成し、
開口部の端柱は、上下にわたる嵌合凸部を１方向に形成し、
壁パネルは、上下にわたる嵌合凹部を左右両端部に形成し、
前記柱の嵌合凸部は、パッキンを有し、
任意の隅柱を床枠上に立設し、その隅柱の嵌合凸部に壁パネルの嵌合凹部を嵌合して連結し、続いて柱と壁パネルを交互に連結していくことにより周壁を形成することを特長とする簡易組立式建物の浸水防止構造。
【請求項２】
立設した周壁の上端を下向きに形成した溝部で固定する前後の梁および左右の桁は、それぞれの屋根パネルを支持する支持部より建物自体から見て外側にパッキンを設けたことを特長とする請求項１記載の簡易組立式建物の浸水防止構造。
【請求項３】
パッキンを取付けた引戸と、その引戸をスライド方向に対して前後方向および上下方向に開口部に接近させるよう形成した上下のレールで構成し、上下レールの誘導により閉動作で引戸が開口部に接近し閉止完了状態において前記パッキンが開口部の周囲に密着することを特長とする請求項１または２記載の簡易組立式建物の浸水防止構造。
【請求項４】
床枠および床枠間に配置した根太は、床パネルをパッキンを介して支持することを特長とする請求項１ないし３のいずれかに記載の簡易組立式建物の浸水防止構造。
【発明の詳細な説明】
【技術分野】
【０００１】
本発明は、組立式の簡易建物等において外部からの浸水や湿気の侵入を防止するための構造に関するものである。
【背景技術】
【０００２】
従来、建築物における外装材の端部同士の突き合わせ部分に形成される目地の防水構造は、コーキング材Ｋを充填する方法（図８）や、目地材Ｍを挿入する方法（図９）が一般的である。
【０００３】
【特許文献１】特許第２６３１６３０号公報
【特許文献２】特許第２６１４４０４号公報
【発明の開示】
【発明が解決しようとする課題】
【０００４】
しかし、これらの構造は目地の防水と意匠性のみを目的としたものであり、組立性については考慮されていなかった。
【０００５】
特に組立式の簡易建物は、組立の容易さと構造の簡易さも重要視されるため、壁材は薄板鋼鈑で内部に断熱材を挟んだ構造の壁パネルであり、その壁パネル同士を接続して壁を形成する必要があるが、目地の防水と壁パネルの接続を別々の構造にすると前述の組立の容易さと構造の簡易さが損なわれるという欠点があった。
【０００６】
そこで本発明は、外部からの浸水や湿気の侵入を防止する構造であって、構造が簡易で組立が容易な簡易建物を提供することを目的とする。
【課題を解決するための手段】
【０００７】
請求項１の発明は、パッキンを有する嵌合凸部を形成した柱と嵌合凹部を形成した壁パネルを嵌合して壁を形成することにより、目地の防水と壁パネルの接続を同時におこなうことを特徴とする。
【０００８】
また請求項２の発明は、前後の梁と左右の桁にそれぞれ形成した下向き溝部で、立設した周壁の上端を固定し、その梁と桁の屋根パネルを支持する支持部より建物自体から見て外側にパッキンを設けることにより、屋根パネル周囲からの浸水を防止するとともに壁パネルの結合を高めるものである。
【０００９】
また請求項３の発明は、引戸にパッキンを取付け、その引戸を閉じる操作で引戸が上下のレールの誘導によりスライド方向に対して前後方向および上下方向に開口部に接近して、閉止完了状態において前記パッキンが開口部の周囲に密着する構造とし、引戸周囲からの浸水を防止する。
【００１０】
請求項４の発明は、床パネルを支持する床枠および床枠間に配置した根太であり、床下からの湿気の侵入を防止するためにパッキンを介して床パネルを支持する構造とした。
【発明の効果】
【００１１】
上述したように本発明の簡易建物における浸水防止構造は、簡易な構造で容易に組立ができる従来の利点を維持しつつ外部からの浸水や床下からの湿気の侵入を確実に防止できるという利点がある。
【００１２】
さらに従来のコーキング材や目地材のように直接外部に現れていないため、劣化による防水性の低下が少なく、また意匠性にも優れた効果がある。
【発明を実施するための最良の形態】
【００１３】
以下、本発明の実施の形態を図１〜図７に基づいて説明する。
【実施例１】
【００１４】
図１は、本発明の柱と壁パネルの浸水防止構造を示した水平断面図である。
四隅に配置した隅柱１は上下にわたる嵌合凸部１１を直角２方向に形成し、中間柱２は、上下にわたる嵌合凸部２１を反対２方向に形成し、出入口となる開口部Ｓの端柱３は、上下にわたる嵌合凸部３１を１方向に形成し、壁パネル４は、前記各柱の嵌合凸部と嵌合する上下にわたる嵌合凹部４１を左右両端部に形成している。前記柱の嵌合凸部１１、２１、３１は、それぞれ溝部を有しその溝部にパッキン１２、２２、３２を固着している。
【００１５】
組立順序は、例えば隅柱（後左）１を床枠上に立設し、その隅柱（後左）１の左側に形成した嵌合凸部１１に壁パネル４の嵌合凹部４１を嵌合することにより壁パネル４を連結し、続いて他方の嵌合凹部４１に中間柱２の嵌合凸部２１を嵌合することにより壁パネル４に中間柱２を連結し、これを繰返して簡易建物の背面壁Ｃおよび右側面壁Ｄ、右袖壁Ｅを構成していく。また左側面壁Ｂおよび左袖壁Ａも同様にして構成していき、簡易建物の周壁を完成させる。最初に立設する隅柱は任意の隅柱で良い。
【００１６】
次に図２は、屋根パネル５と背面壁Ｃおよび袖壁との浸水防止構造を示した側面視の断面図である。
袖壁Ａ（Ｅ）と背面壁Ｃを床枠上に立設している。梁前６１と梁後６２は、下向きに開口した断面略コ字型材であり、形成された溝部に前記袖壁Ａ（Ｅ）と背面壁Ｃの上端部を挿入して柱と壁との接続を強固にする。また、梁前６１と梁後６２は、上端に屋根パネル５を支える支持部６１ａ、６２ａを形成して荷重を柱と壁で垂直に受ける構造としている。さらに、前記支持部６１ａ、６２ａの外側にそれぞれ段差を形成してパッキン６ｂ、６ｂを固着して屋根パネル５前後からの建物内への浸水を防止している。
【００１７】
なお、梁前６１の前面下部には、上レール６３が一体的に形成され、その上レール６３内を転動する戸車６３ａによって引戸７が吊り下げられている。Ｆは、屋根パネル５の前端部を隠す前化粧板で、Ｇは、後端部に沿って設けられた後軒樋である。
【００１８】
次に図３は、左側面壁Ｂと屋根パネル５との浸水防止構造を示した正面視の断面図である。
桁左６５は、下向きに開口した断面略コ字型材で前後方向に長く、形成された溝部に左側面壁Ｂの上端を挿入して柱と壁の接続を強固にすると共に、左側面壁Ｂの内側に沿った辺を延ばして屋根パネル５を下側から支える支持部６５ａを形成し、その支持部６５ａの外側に段差を形成してパッキン６ｂを固着して屋根パネル左右方向から建物内への浸水を防止している。また桁左６５には屋根押え６６と化粧カバー６７が取付けられる。
【００１９】
次に図４は、引戸７と開口部Ｓの鴨居８１と敷居８２との浸水防止構造を示した側面視の断面図である。
引戸７は、前述したように上端に配置した戸車６３ａで吊り下げられ、下端には下レール８３によってガイドされるガイドローラ８３ａを有する。上レール６３は、戸車６３ａが転動するＶ字型の溝部６３１を形成し、その溝部６３１は、引戸７が簡易建物の開口部Ｓを閉塞する直前から閉鎖完了時までの戸車６３ａの位置に図面上で右下方向に変位する段差部６３２を有し、下レール８３も前記段差部６３２に対応した位置に図面上で右方向に変位する湾曲部８３１を有する。
【００２０】
上レール６３と下レール８３に上記の段差部６３２と湾曲部８３１が形成されているため、引戸７は、閉じる動きにおいてその動きが完了する直前から僅かに下方向に下がると同時に開口部Ｓに接近し始めて、その動きが完了した時点（二点鎖線で表示）で引戸７の上端内側に取付けたパッキン７１と下端内側に取付けたパッキン７２がそれぞれ鴨居８１と敷居８２の外面部に密着することにより、開口部Ｓの上下から建物内への浸水を防止している。
【００２１】
次に図５は、引戸７と開口部Ｓの端柱３との浸水防止構造を示した平面視の断面図である。
前述したように引戸７が閉鎖を終了したとき（二点鎖線で表示）すなわち、引戸７の戸車６３ａが上レール６３の段差部６３２に位置したとき、引戸７の下端に取付けられたガイドローラ８３ａは下レール８３の湾曲部８３１に位置するので、引戸７は開口部Ｓに接近して引戸７の左右両端の内側に取付けられたパッキン７３が端柱３の外面部に密着することにより、開口部Ｓの左右から建物内への浸水を防止している。
【００２２】
次に図６は、床枠９およびその床枠間に配置した根太９１と床パネル９２との防湿構造を示した部分斜視図である。
床枠９は、下向きに開口した断面略コ字型材で上部外面の長手方向に壁パネル４の下端を支持する壁支持部９ａと、上部内面に床パネル端部を支持する床支持部９ｂを形成し、前記壁支持部９ａの肩部分は、壁パネルを伝い落ちる雨水の水切９ｃを形成する。また根太９１は、上部両側の長手方向に床支持部９１ｂを形成する。
【００２３】
床パネル９２は、左右両端部に段差部９２ａを形成し、その段差部９２ａを床端押え９３および床中押え９４で、それぞれ床枠９と根太９１にボルト固定し、また前後両端は床後押え９５および床前押え（図示省略）および敷居８２（図４参照）で床枠９にボルト固定する。
前記床枠９の床支持部９ｂと根太９１の床支持部９１ｂにはそれぞれシール材Ｈが貼着されており、床下から建物内に湿気が侵入することを防止する。
【００２４】
最後に図７は、本考案の浸水防止構造を用いた簡易建物の全体を示した斜視図である。
【産業上の利用可能性】
【００２５】
本発明の浸水防止構造を用いた簡易建物では、従来のように簡易な構造で組立が容易に出来るうえ、外部から建物内部に浸水することを確実に防止し、しかもその効果を長く維持できるため、従来は家屋内で保管することが一般的であった衣服や布団、あるいは書籍や美術品といった物でも保管することができ、その分、住居の空間を有効利用することができる。
【図面の簡単な説明】
【００２６】
【図１】柱と壁パネルの浸水防止構造を示した水平断面図
【図２】屋根パネルと背面壁および袖壁との浸水防止構造を示した側面視の断面図
【図３】左側面壁と屋根パネルとの浸水防止構造を示した正面視の断面図
【図４】引戸と鴨居と敷居との浸水防止構造を示した側面視の断面図
【図５】引戸と端柱との浸水防止構造を示した平面視の断面図
【図６】床枠と根太と床パネルの防湿構造を示した部分斜視図
【図７】全体を示した斜視図
【図８】従来技術
【図９】他の従来技術
【符号の説明】
【００２７】
１…隅柱
２…中間柱
３…端柱
４…壁パネル
５…屋根パネル
６１…梁前
６２…梁後
７…引戸
８１…鴨居
８２…敷居
９…床枠
１１、２１、３１…嵌合凸部
４１…嵌合凹部
１２、２２、３２、６ｂ、７１、７２、７３…パッキン
【図１】
2005200941.tif 000003
【図２】
2005200941.tif 000004
【図３】
2005200941.tif 000005
【図４】
2005200941.tif 000006
【図５】
2005200941.tif 000007
【図６】
2005200941.tif 000008
【図７】
2005200941.tif 000009
【図８】
2005200941.tif 000010
【図９】
2005200941.tif 000011